(57)【特許請求の範囲】
【請求項１】
複数枚の板材を上下方向に積層して構成されたキッチンにおいて、
前記複数枚の板材には、平面視で一致する位置に切り欠きが形成されていて、
前記板材を積層することにより、前記切り欠きが連続した空間が形成されていることを特徴するキッチン。
【請求項２】
前記空間は収納スペースであることを特徴とする請求項１に記載のキッチン。
【請求項３】
前記空間はシンクユニット収容スペースであることを特徴とする請求項１に記載のキッチン。
【請求項４】
前記空間はコンロユニット収容スペースであることを特徴とする請求項１に記載のキッチン。
【発明の詳細な説明】
【技術分野】
【０００１】
本発明は、高いデザイン性を有し、且つ物品の出し入れを楽に行うことが可能なキッチンに関する。
【背景技術】
【０００２】
近年、キッチンには高いデザイン性が求められている。従来では、キッチンは室内の壁面に沿って配置されるものが主流であったが、近年では、例えば特許文献１に開示されているような対面式キッチンも普及が進んでいる。対面式キッチン（アイランドキッチンとも称される）は、キッチンとリビングの間に設置されたり、ダイニングキッチンの中央部に設置されたりする。このような対面式キッチンによれば、壁面に沿って配置される従来のキッチンよりもレイアウトの自由度が高いため、デザイン性をより高めることができる。
【先行技術文献】
【特許文献】
【０００３】
【特許文献１】特開２００６−３３４２４０号公報
【発明の概要】
【発明が解決しようとする課題】
【０００４】
ここで、従来室内の壁面に沿って配置されるキッチンは、いわゆるボックス形状のキャビネットを複数配置し、その上に天板を載置する構成が一般的である。また特許文献１を参照してわかるように、対面式キッチンにおいても、やはり従来のキッチンと同様に複数のキャビネットおよび天板を備える構成である。このため、従来のキッチンと特許文献１とのキッチンでは、レイアウトの違いはあるものの、見た目上の印象は大きく異ならない。このため、より斬新且つ高いデザイン性を有するキッチンの開発が望まれていた。
【０００５】
また従来のキッチンでは、キャビネットには引出や開き戸等を設けることにより収納空間が形成されているが、これらの外観もやはり画一的であり、デザイン性が高いものではない。加えて、引出や開き戸等であると、物品を収納したり出したりするたびに引出や扉の開閉動作を行う必要があるため、作業性に優れているとは言い難い。
【０００６】
本発明は、このような課題に鑑み、従来のボックス形状のキッチンに比して、斬新且つより高いデザイン性を有し、且つ物品の出し入れを楽に行うことが可能なキッチンを提供することを目的としている。
【課題を解決するための手段】
【０００７】
上記課題を解決するために、本発明にかかるキッチンの代表的な構成は、上下方向に積層された複数枚の板材からなり、複数枚の板材には、平面視で一致する位置に切り欠きが形成されていて、板材を積層することにより、切り欠きが連続した空間が形成されていることを特徴する。
【０００８】
上記構成によれば、キッチンは、側方視において複数枚の板材が積層された外観を有する。これにより、従来のキッチンの概念を覆す斬新さが得られる。特に、積層する板材の端面をずらすことにより、壁面（正面、側面、背面）を垂直壁ではなく、上に行くほど外側に向かってせり出すオーバーハング状にしたり、下に行くほど外側に広がる切株状（末広がり状）にしたり、中央部が膨らむ樽状にしたり、進退を繰り返す波状にしたりするなど、キッチンの形状の自由度を飛躍的に増すことができる。このため、従来のように上下面および側面が板材によって構成されたボックス形状の収納庫（ユニット）を組み合わせたキッチンではまったく考えられなかった新しい形状を構成することができ、高いデザイン性を得ることが可能である。
【０００９】
また上述したように複数枚の板材を積層する構成であれば、キッチンの高さを使用者の所望に応じて適宜調節することができる。更にキッチンの幅や奥行きにおいても、幅や奥行きが異なる板材に変更することにより使用者の希望に応じたものとすることができる。したがって、従来のキッチンよりも寸法の自由度を高めることができ、使用者のニーズにより柔軟に対応することが可能となる。
【００１０】
また上記構成では、複数枚の板材には平面視で一致する位置に切り欠きが形成されていて、複数枚の板材が連続することで、切り欠きが連続した空間が形成される。
【００１１】
上記空間は収納スペースであるとよい。これにより、上述したようにデザイン性に特化したキッチンにおいても物品の収納スペースを好適に確保することができる。また切り欠きが連続することにより形成された空間は、側面が複数枚の板材が連続した外観となる。したがって、収納スペースにおいても高いデザイン性が得られる。また従来のような引出や扉による収納空間ではなく、切り欠きによって収納スペースを形成したことにより、物品の出し入れに際して引出や扉等の開閉動作を行う必要がない。したがって、物品の出し入れを楽に行うことが可能である。
【００１２】
上記空間はシンクユニット収容スペースであるとよい。また上記空間はコンロユニット収容スペースであるとよい。上述した切り欠きによって形成される空間は、シンクユニット収容スペースやコンロユニット収容スペースとしても利用することができる。これにより、シンクユニットやコンロユニットをキッチンと一体に収容することができる。したがって、シンクユニットやコンロユニットがキッチンの外側に張り出すことがないため、キッチンの外観をより高めることが可能である。
【発明の効果】
【００１３】
本発明によれば、従来のボックス形状のキッチンに比して、斬新且つより高いデザイン性を有し、且つ物品の出し入れを楽に行うことが可能なキッチンを提供することができる。
【図面の簡単な説明】
【００１４】
【図１】本実施形態にかかるキッチンの全体斜視図である。
【図２】図１に示すキッチンを異なる方向から観察した斜視図である。
【図３】図１に示すキッチンの分解図である。
【図４】図１に示すキッチンの５面図である。
【発明を実施するための形態】
【００１５】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１６】
図１は、本実施形態にかかるキッチン１００の全体斜視図である。図２は、図１に示すキッチン１００を異なる方向から観察した斜視図であり、図１に示すキッチン１００を右側から観察した状態を図示している。図３は、図１に示すキッチン１００の分解図である。図４は、図１に示すキッチン１００の５面図である。なお、図面では、角度上、図示されない部材については符号を省略している。
【００１７】
図１、図２、図３および図４に示すように、本実施形態のキッチン１００は、上下方向に積層された複数枚の板材から構成される。本実施形態のキッチン１００では、土台１０２の上に、複数枚の板材として輪郭板１１０（１１０ａ〜１１０ｉ）およびスペーサ１２０（１２０ａ〜１２０ｉ）が交互に積層して配置されている。
【００１８】
輪郭板１１０は、キッチン１００の輪郭をなす板材であり、輪郭板１１０の間には、輪郭板１１０よりも外形が小さいスペーサ１２０が配置されている。
【００１９】
図３を用いて、キッチン１００の構造およびその組立方法について説明する。図３に示すように、キッチン１００の最も下層には土台１０２が配置されていて、かかる土台１０２には連結ボルト１０４が立設されている。一方、輪郭板１１０（下から１１０ａ〜１１０ｉ）およびスペーサ１２０（下から１２０ａ〜１２０ｉ）には、かかる連結ボルト１０４に対応する位置に孔（不図示）が形成されている。そして、連結ボルト１０４を孔に挿通しながら、土台１０２の上に１枚目の輪郭板１１０ａを配置する。そして、その上に同様にしてスペーサ１２０ａを配置する。その後、輪郭板１１０ｂ〜１１０ｉ、およびスペーサ１２０ｂ〜１２０ｉを順番に土台１０２の上に積層する。
【００２０】
最も上層のスペーサ１２０ｉを配置したら、その上にカウンター１３０を配置する。これにより、図１に示すように、キッチン１００に、使用者が複数人並んで食事をすることが可能なカウンター１３０が設けられる。カウンター１３０としては、例えば人工大理石を用いることができる。
【００２１】
次に、カウンター１３０の上にスペーサ１２０ｊを再度配置し、かかるスペーサ１２０ｊの上に調理カウンター１４０を配置する。これにより、図１に示すように、キッチン１００に、調理作業用の調理カウンター１４０が設けられる。調理カウンター１４０としては、例えばステンレスを用いることができる。
【００２２】
調理カウンター１４０を配置したら、その上に更にスペーサ（不図示）を配置し、作業用カウンター１５０を配置する。これにより、図１に示すように、キッチン１００に、調理作業時や配膳時に食材や食器、食事を載置する作業用カウンター１５０が設けられる。そして、更に囲炉裏カウンター１６０を配置することにより、図１に示すように、キッチンの、特に後述するコンロユニット１８０の周囲に囲炉裏カウンター１６０が設けられる。
【００２３】
上記説明したように、本実施形態のキッチン１００は、複数枚の板材である輪郭板１１０およびスペーサ１２０を積層して構成される。これにより、図４に示すように、本実施形態のキッチン１００は、側方視において、従来のキッチンのように側面が１枚の板材の表面からなるのではなく、複数枚の板材が積層した外観となる。これにより、従来のキッチンの概念を覆す斬新なデザインにより、高いデザイン性が得られる。
【００２４】
特に、積層する板材の端面をずらすことにより、壁面（正面、側面、背面）を垂直壁ではなく、さまざまな形状にすることができる。本実施形態では、複数枚の板材、特に輪郭板の外形は、上に行くほどすなわち上層に配置される板材ほど外形が大きくなっている。これにより、キッチンを側方から観察した際に、その輪郭は上に行くほど外側に向かってせり出すオーバーハング状となっている。他の形状としては、下に行くほど外側に広がる切株状（末広がり状）にしたり、中央部が膨らむ樽状にしたり、進退を繰り返す波状にしたりするなど、キッチンの形状の自由度を飛躍的に増すことができる。
【００２５】
また本実施形態のように複数枚の板材を積層する構成とすることにより、積層する板材の枚数を変更することで使用者の所望に応じてキッチン１００の高さを調整することができる。更に、キッチン１００の幅や奥行きにおいても、幅や奥行きが異なる板材に変更することにより使用者の希望に応じたものとすることができる。したがって、従来のキッチンよりも寸法の自由度を高めることができ、使用者のニーズに柔軟に対応することが可能となる。
【００２６】
特に本実施形態では、キッチン１００の輪郭をなす輪郭板１１０と、それより外形の小さいスペーサ１２０とを交互に配置している。これにより、図４に示すように、側方視において、輪郭板１１０の端部が高さ方向で隙間（間隔）をあけて配置された外観となり、デザイン性を更に高めることができる。また輪郭板１１０とスペーサ１２０を交互に配置することにより、複数枚の板材の全てに輪郭板を用いた場合に比してコストの削減を図ることができる。
【００２７】
なお、本実施形態では、複数枚の板材として輪郭板１１０およびスペーサ１２０を用いる構成を例示したが、これに限定するものではなく、全ての板材を輪郭板とすることも可能である。その場合には、例えば１枚おきに輪郭板の外形をその上下に配置される輪郭板よりも小さく設定してもよいし、輪郭板の端部が緩やかに連続するよう徐々に外形を変化させてもよい。
【００２８】
本実施形態の特徴として、複数枚の板材である輪郭板１１０およびスペーサ１２０には平面視で一致する位置に切り欠きが形成されていて、それらの板材が連続することで、切り欠きが連続した空間が形成される。具体的には、輪郭板１１０ｆ・１１０ｇおよびスペーサ１２０ｅ〜１２０ｇそれぞれに、平面視で一致する位置に切り欠き１１６・１２６が形成されている。これにより、板材を積層すると、図１および図２に示すように切り欠きが連続した空間からなる収納スペース１９０ａが形成される。同様に、輪郭板１１０ｆ・１１０ｇおよびスペーサ１２０ｅ〜１２０ｇそれぞれに、平面視で一致する位置に切り欠き１１８・１２８が形成されていて、図１に示す収納スペース１９０ｂが形成される。この収納スペース１９０ａ・１９０ｂを用いてキッチン１００で使用する物品を整理することが可能となる。
【００２９】
また本実施形態では、輪郭板１１０ｆ・１１０ｈおよびスペーサ１２０ｅ〜１２０ｈのそれぞれの平面視で一致する位置に、さらに切り欠き１１９・１２９が形成されている。これにより、板材を積層すると、図１に示すように輪郭板１１０ｇの上下に収納スペース１９０ｃ・収納スペース１９０ｄが形成される。これにより、輪郭板１１０ｇが仕切り板として機能し、小物等の小さい物品を整理整頓して収納することが可能となる。
【００３０】
上記説明したように、本実施形態では、キッチン１００において高いデザイン性を得つつ、物品のスペースを好適に確保することができる。このとき、収納スペース１９０ａ〜１９０ｄの側面は、複数枚の板材が連続した外観となるため、かかる収納スペース１９０ａ〜１９０ｄの内面においても高いデザイン性が得られる。
【００３１】
また本実施形態のキッチン１００に設けられる収納スペース１９０ａ〜１９０ｄは、従来のキャビネット（収納庫）に用いられている引出や扉ではなく、連続した切り欠きによって形成される空間である。したがって、物品の出し入れに際して引出や扉等の開閉動作を行う必要がなく、物品の出し入れを楽に行うことが可能である。
【００３２】
更に、本実施形態のように板材に形成した切り欠きによって収納スペース１９０ａ〜１９０ｄを形成する構成であれば、上述したように切り欠きを形成した複数枚の板材の間に、切り欠きを形成していない板材を配置することにより、収納スペースを任意の高さで仕切ることができる。これにより、使用者が所望に応じて収納スペースの高さを変更することができ、使用者のニーズにより柔軟に対応することが可能となる。
【００３３】
また本実施形態では、切り欠きが連続することによって形成される空間を、シンクユニット収容スペースや、コンロユニット収容スペースとしても利用することができる。詳細には、図３に示すように、輪郭板１１０ｈ・１１０ｉには切り欠き１１２が形成されていて、スペーサ１２０ｇ〜１２０ｊにも切り欠き１２２が形成されている。またカウンター１３０および調理カウンター１４０にも、それらの切り欠き１１２・１２２と平面視で一致する位置に切り欠きが形成されている。これにより、上述したように板材を積層すると、それらの切り欠きが連続した空間からなるシンクユニット収容スペースが形成される。したがって、かかる空間にシンクユニット１７０を収容し、図１に示すようにシンクユニット１７０をキッチン１００と一体に収容することが可能となる。
【００３４】
またスペーサ１２０ｊには更に切り欠き１２４が形成されていて、その上に配置される調理カウンター１４０にも切り欠き１４０ａが形成されている。これにより、上述したように板材を積層すると、それらの切り欠きが連続した空間からなるコンロユニット収容スペースが形成される。これにより、かかる空間にコンロユニット１８０を収容し、図１に示すようにコンロユニット１８０をキッチン１００と一体に収容することが可能となる。
【００３５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３６】
本発明は、高いデザイン性を有し、且つ物品の出し入れを楽に行うことが可能なキッチンとして利用することができる。
【符号の説明】
【００３７】
１００…キッチン、１０２…土台、１０４…連結ボルト、１１０…輪郭板、１１０ａ…輪郭板、１１０ｉ…輪郭板、１１２…切り欠き、１１６…切り欠き、１１９…切り欠き、１２０…スペーサ、１２０ａ…スペーサ、１２０ｉ…スペーサ、１２０ｊ…スペーサ、１２２…切り欠き、１２４…切り欠き、１２６…切り欠き、１２９…切り欠き、１３０…カウンター、１４０…調理カウンター、１４０ａ…切り欠き、１５０…作業用カウンター、１６０…囲炉裏カウンター、１７０…シンクユニット、１８０…コンロユニット、１９０ａ…収納スペース、１９０ｂ…収納スペース、１９０ｃ…収納スペース、１９０ｄ…収納スペース
【図１】
0006771919.tif 000002
【図２】
0006771919.tif 000003
【図３】
0006771919.tif 000004
【図４】
0006771919.tif 000005